(57)【特許請求の範囲】
【請求項１】
アンテナケースの内部に受信回路を納め、アンテナケースに引込まれる同軸ケーブルと、受信回路から導出されているアンテナケース側の同軸ケーブルとを結線する構造であって、アンテナケース内に取り付けられるケーブル固定金具に、上記引込み同軸ケーブルの外部導体とシース部とをかしめて接続する第１接続部と、第１接続部に電気的に接続されているとともに上記回路側同軸ケーブルの外部導体とシース部とをかしめて接続する第２接続部とを設け、引込み同軸ケーブルの内部導体をケーブル固定金具に設けた孔に挿通させ、第１接続部に引込み同軸ケーブルをかしめ接続し、第２接続部に回路側同軸ケーブルをかしめ接続し、引込み同軸ケーブルの内部導体と回路側同軸ケーブルの内部導体を直接接続し、この接続箇所の周部をシールドカバーにて覆うと共にシールドカバーの下方開口をケーブル固定金具で覆って成ることを特徴とする同軸ケーブルの結線構造。
【請求項２】
アンテナケースの内部に受信回路を納め、アンテナケースに引込まれる同軸ケーブルと、受信回路から導出されているアンテナケース側の同軸ケーブルとを結線する構造であって、アンテナケース内に取り付けられるケーブル固定金具に、上記引込み同軸ケーブルの外部導体とシース部とをかしめて接続する第１接続部と、第１接続部に電気的に接続されているとともに上記回路側同軸ケーブルの外部導体とシース部とをかしめて接続する第２接続部とを設け、引込み同軸ケーブルの内部導体をケーブル固定金具に設けた孔に挿通させ、第１接続部に引込み同軸ケーブルをかしめ接続し、第２接続部に回路側同軸ケーブルをかしめ接続し、引込み同軸ケーブルの内部導体と回路側同軸ケーブルの内部導体を直接接続し、この接続箇所の周部をシールドカバーにて覆うと共にシールドカバーの下方開口をケーブル固定金具で覆い、シールドカバーをケーブル固定金具にビスにて固定して成ることを特徴とする同軸ケーブルの結線構造。
【請求項３】
受信回路は人工衛星からの信号を受信する回路としたことを特徴とする請求項１又は２に記載の同軸ケーブルの結線構造。
【請求項４】
引込み同軸ケーブルと回路側同軸ケーブルとが略直交していることを特徴とする請求項１乃至３のいずれかに記載の同軸ケーブルの結線構造。
【発明の詳細な説明】
【０００１】
【発明の属する技術分野】
本発明は、主として、人工衛星からの信号を受信するアンテナ側からの同軸ケーブルとテレビジョン側からの同軸ケーブルを接続する構造に関し、詳しくは、市販の接続コネクターの使用を回避してコストを低減しながら、接続箇所を電磁シールドして外部ノイズを防ぎ、かつ、同軸ケーブルの引込み箇所における防水性を確実なものにしようとする技術に係るものである。
【０００２】
【従来の技術】
従来にあっては、図３に示すように、アンテナケース１内に人工衛星からの信号を受信する受信回路２を収納し、受信回路２に接続された同軸ケーブル４が接続コネクター１２に接続され、この接続コネクター１２にテレビジョン側からの同軸ケーブル（図示せず）を引込み接続するものである。
【０００３】
【発明が解決しようとする課題】
ところが、このような構成のものにおいては、接続コネクター１２がコスト高になるものとなっていた。
本発明はこのような問題に鑑みてなされたものであり、その目的とするところは、高価な接続コネクターの使用を回避し、同軸ケーブルをアンテナケースに直接引込み、内部の人工衛生からの信号を受信する受信回路に接続されている同軸ケーブルに結線し、この場合に、結線箇所を電磁シールドすることで、接続箇所からの外部ノイズが入るのを阻止することができ、又、同軸ケーブルの引込み箇所における防水性を維持することができる同軸ケーブルの結線構造を提供しようとするにある。
【０００４】
【課題を解決するための手段】
請求項１の発明においては、アンテナケース１の内部に受信回路２を納め、アンテナケース１に引込まれる同軸ケーブル３と、受信回路２から導出されているアンテナケース１側の同軸ケーブル４とを結線する構造であって、アンテナケース１内に取り付けられるケーブル固定金具５に、上記引込み同軸ケーブル３の外部導体３ａとシース部３ｂとをかしめて接続する第１接続部６と、第１接続部６に電気的に接続されているとともに上記回路側同軸ケーブル４の外部導体４ａとシース部４ｂとをかしめて接続する第２接続部７とを設け、引込み同軸ケーブル３の内部導体３ｃをケーブル固定金具５に設けた孔に挿通させ、第１接続部６に引込み同軸ケーブル３をかしめ接続し、第２接続部７に回路側同軸ケーブル４をかしめ接続し、引込み同軸ケーブル３の内部導体３ｃと回路側同軸ケーブル４の内部導体４ｃを直接接続し、この接続箇所の周部をシールドカバー８にて覆うと共にシールドカバー８の下方開口をケーブル固定金具５で覆って成ることを特徴とするものである。
【０００７】
請求項２の発明においては、アンテナケース１の内部に受信回路２を納め、アンテナケース１に引込まれる同軸ケーブル３と、受信回路２から導出されているアンテナケース１側の同軸ケーブル４とを結線する構造であって、アンテナケース１内に取り付けられるケーブル固定金具５に、上記引込み同軸ケーブル３の外部導体３ａとシース部３ｂとをかしめて接続する第１接続部６と、第１接続部６に電気的に接続されているとともに上記回路側同軸ケーブル４の外部導体４ａとシース部４ｂとをかしめて接続する第２接続部７とを設け、引込み同軸ケーブル３の内部導体３ｃをケーブル固定金具５に設けた孔に挿通させ、第１接続部６に引込み同軸ケーブル３をかしめ接続し、第２接続部７に回路側同軸ケーブル４をかしめ接続し、引込み同軸ケーブル３の内部導体３ｃと回路側同軸ケーブル４の内部導体４ｃを直接接続し、この接続箇所の周部をシールドカバー８にて覆うと共にシールドカバー８の下方開口をケーブル固定金具５で覆い、シールドカバー８をケーブル固定金具５にビス１１にて固定して成ることを特徴とするものである。
【０００８】
この場合、請求項３の発明のように、受信回路２は人工衛星からの信号を受信する回路としてもよく、又、請求項４の発明のように、引込み同軸ケーブル３と回路側同軸ケーブル４とが略直交するようにすることも好ましい。請求項１の構成においては、ケーブル固定金具５の第１接続部６に引込み同軸ケーブル３をかしめ、第２接続部７に回路側同軸ケーブル４をかしめ、しかして、同軸ケーブル３，４の外部導体３ａ，４ａを電気的に接続するとともに２本の同軸ケーブル３，４を保持することができるのであり、このことにより、従来の市販の高価な接続コネクターの使用を回避でき、コストを低減することができる。
【０００９】
請求項２の構成においては、請求項１の作用に加えて、シールドカバー８によって、２本の同軸ケーブル３，４の内部導体３ｃ，４ｃを結線した接続箇所を覆い、電磁シールドがおこなえ、接続箇所から外部ノイズが侵入するのを阻止する。
請求項３の構成においては、請求項１の作用に加えて、外部からの同軸ケーブル３の引込み箇所の防水シール材１０によって、屋外に設置されるのに、充分な防水性を確保する。
【００１０】
請求項４の構成においては、請求項１の作用に加えて、シールドカバー８の固定が容易となる。
【００１１】
【発明の実施の形態】
以下本発明の一実施の形態を図面に基づいて詳述する。
図１は断面図であり、図２は分解斜視図である。
アンテナケース１は、ケース本体１ａとこれに螺合されるキャップ１ｂとで形成され、ケース本体１ａには導入孔１３が形成され、テレビジョン側の同軸ケーブル３が引込み可能になっている。アンテナケース１には複数の受台１４が設けられ、受台１４の一つに人工衛星からの信号を受信する受信回路２が載設され、受信回路２から同軸ケーブル４が導出されている。この回路側同軸ケーブル４は上記引込み同軸ケーブル３よりも小径になっている。
【００１２】
図２に示すように、金属製のケーブル固定金具５には、引込み同軸ケーブル３の外部導体３ａとシース部３ｂとをかしめて接続する第１接続部６と、第１接続部６に電気的に接続されているとともに回路側同軸ケーブル４の外部導体４ａとシース部４ｂとをかしめて接続する第２接続部７とを形成している。第１接続部６には爪１５が形成されていて、かしめ時にシース部３ｂ等に食い込んで、引込み同軸ケーブル３を確実に保持することができるようにしてある。第１接続部６及び第２接続部７は略Ｕ字状に形成され、ケーブル固定金具５の本体に連結されているが、一連に形成してもよいものである。
【００１３】
シールドカバー８は鈑金製で、下方が開放された箱型に形成され、取付片１６が一連に形成されている。又、回路側同軸ケーブル４を通過させる切欠き１７が形成されている。  しかして、引込み同軸ケーブル３の内部導体３ｃをケーブル固定金具５に設けた孔に挿通させ、第１接続部６に引込み同軸ケーブル３をかしめ接続し、又、第２接続部７に回路側同軸ケーブル４をかしめ接続し、同軸ケーブル３，４の外部導体３ａ，４ａを電気的に接続するとともに２本の同軸ケーブル３，４を保持するのである。そして、引込み同軸ケーブル３の内部導体３ｃと回路側同軸ケーブル４の内部導体４ｃを半田付けにて結線するのである。このことにより、従来の市販の高価な接続コネクターの使用を回避するのである。
【００１４】
次に、シールドカバー８をケーブル固定金具５に被せて、シールドカバー８にて２本の同軸ケーブル３，４の内部導体３ｃ，４ｃの結線箇所を覆い、結線部分の電磁シールドを図り、外部ノイズが侵入するのを阻止するのである。
この場合、ビス１１をシールドカバー８及びケーブル固定金具５に挿通し、ケース本体１ａの受台１４にねじ込み、シールドカバー８及びケーブル固定金具５をケース本体１ａに取付けるのである。ビス１１はタッピングビスが使用される。そして、２本の同軸ケーブル３，４は略直交している。そして、キャップ１ｂがスポンジテープ１８を押さえてケース本体１ａに螺合される。
【００１５】
尚、実施の形態においては、人工衛星からの信号を受信するアンテナユニットに実施したが、他に実施することができるものである。
【００１６】
【発明の効果】
請求項１の発明においては、アンテナケースの内部に受信回路を納め、アンテナケースに引込まれる同軸ケーブルと、受信回路から導出されているアンテナケース側の同軸ケーブルとを結線する構造であって、アンテナケース内に取り付けられるケーブル固定金具に、上記引込み同軸ケーブルの外部導体とシース部とをかしめて接続する第１接続部と、第１接続部に電気的に接続されているとともに上記回路側同軸ケーブルの外部導体とシース部とをかしめて接続する第２接続部とを設け、引込み同軸ケーブルの内部導体をケーブル固定金具に設けた孔に挿通させ、第１接続部に引込み同軸ケーブルをかしめ接続し、第２接続部に回路側同軸ケーブルをかしめ接続し、引込み同軸ケーブルの内部導体と回路側同軸ケーブルの内部導体を直接接続し、この接続箇所の周部をシールドカバーにて覆うと共にシールドカバーの下方開口をケーブル固定金具で覆うから、ケーブル固定金具の第１接続部に引込み同軸ケーブルをかしめ、第２接続部に回路側同軸ケーブルをかしめ、しかして、同軸ケーブルの外部導体を電気的に接続するとともに２本の同軸ケーブルを保持することができるのであり、このことにより、従来の市販の高価な接続コネクターの使用を回避でき、コストを低減することができるという利点がある。また、従来の市販の高価な接続コネクターの使用を回避でき、コストを低減することができながら、シールドカバーによって、２本の同軸ケーブルの内部導体を結線した接続箇所を覆い、電磁シールドがおこなえ、接続箇所から外部ノイズが侵入するのを阻止できるという利点がある。
【００１９】
請求項２の発明においては、アンテナケースの内部に受信回路を納め、アンテナケースに引込まれる同軸ケーブルと、受信回路から導出されているアンテナケース側の同軸ケーブルとを結線する構造であって、アンテナケース内に取り付けられるケーブル固定金具に、上記引込み同軸ケーブルの外部導体とシース部とをかしめて接続する第１接続部と、第１接続部に電気的に接続されているとともに上記回路側同軸ケーブルの外部導体とシース部とをかしめて接続する第２接続部とを設け、引込み同軸ケーブルの内部導体をケーブル固定金具に設けた孔に挿通させ、第１接続部に引込み同軸ケーブルをかしめ接続し、第２接続部に回路側同軸ケーブルをかしめ接続し、引込み同軸ケーブルの内部導体と回路側同軸ケーブルの内部導体を直接接続し、この接続箇所の周部をシールドカバーにて覆うと共にシールドカバーの下方開口をケーブル固定金具で覆い、シールドカバーをケーブル固定金具にビスにて固定しているから、請求項１の効果と同様に、従来の市販の高価な接続コネクターの使用を回避でき、コストを低減することができながら、シールドカバーの固定が容易となる。
【００２０】
請求項３の発明のように、受信回路は人工衛星からの信号を受信する回路としてもよく、又、請求項４の発明のように、引込み同軸ケーブルと回路側同軸ケーブルとが略直交するようにすることも好ましい。
【図面の簡単な説明】
【図１】本発明の一実施の形態の断面図である。
【図２】同上の分解斜視図である。
【図３】従来例の断面図である。
【符号の説明】
１    アンテナケース
２    受信回路
３    引込み同軸ケーブル
３ａ  外部導体
３ｂ  シース部
３ｃ  内部導体
４    回路側同軸ケーブル
４ａ  外部導体
４ｂ  シース部
４ｃ  内部導体
５    ケーブル固定金具
６    第１接続部
７    第２接続部
８    シールドカバー
１０  防水シール
１１  ビス
【図１】
0003669114.tif 000002
【図２】
0003669114.tif 000003
【図３】
0003669114.tif 000004